(57)【要約】 【課題】  玉の振分け態様に大きな変化をつけて遊技の興趣を盛り上げることができる遊技機の遊技部品を提供する。【解決手段】  センター役物２にはステージ４が設けられ、このステージ４に３本の回転軸５に支承された板状の玉振分け部材６が配設されている。ステージ４の底面には前方の玉出口８と連通する玉入口７が設けられている。ステージ４の横方向からは玉案内用のレール９が玉振分け部材６の上方にまで延出されており、センター役物２内に流入した玉はこのレール９を伝って玉振分け部材６上に落下する。玉振分け部材６は屈曲した回転軸５によって自転することなく公転させられるので、この玉振分け部材６から玉を不規則な方向に放出することができる。【選択図】    図２
2005323838.tif 000002
【特許請求の範囲】
【請求項１】
玉振分け部材に載せた玉を振るい落として、この玉を複数の玉通路の何れかに導いて遊技を行う遊技機の遊技部品であって、前記玉振分け部材を屈曲した回転軸の上端に取付けて、玉振分け部材を公転させて玉を振るい落とすようにしたことを特徴とする遊技機の遊技部品。
【請求項２】
玉振分け部材を複数本の回転軸に支承させて、玉振分け部材を自転することなく公転させるようにしたことを特徴とする請求項１に記載の遊技機の遊技部品。
【請求項３】
玉振分け部材を、平板状又は凹状のものとしたことを特徴とする請求項１または２に記載の遊技機の遊技部品。
【請求項４】
玉振分け部材に、玉抜き穴を設けたことを特徴とする請求項３に記載の遊技機の遊技部品。
【請求項５】
複数の玉振分け部材を、上下に間隔を置いてかつ横方向に位置をずらして回転軸に取り付けたことを特徴とする請求項１〜４の何れかに記載の遊技機の遊技部品。
【請求項６】
玉振分け部材を間欠回転又は正逆回転可能とした請求項１〜５の何れかに記載の遊技機の遊技部品。
【請求項７】
玉振分け部材の回転数を変更可能とした請求項１〜５の何れかに記載の遊技機の遊技部品。
【発明の詳細な説明】
【技術分野】
【０００１】
本発明は、玉を複数の玉通路に偶然性を持って振り分けて遊技を行うことができる遊技機の遊技部品に関するものである。
【背景技術】
【０００２】
遊技機の一つであるパチンコ機の遊技盤の中央部には通常センター役物などの遊技部品が備えられている。この遊技部品として例えば特許文献１には、玉を複数の通路のうちのいずれかへ振り分ける振り分け部材を備えたものが開示されている。前記振り分け部材は、遊技媒体をいずれかの通路へ振り分ける動作が振動によって影響を受けるように形成したものである。すなわち、当該振り分け部材は左穴と右穴とを備えたクルーンであって、このクルーンはゴム脚によって支持されているため、遊技者の加えた振動によってゴム脚が弾性変形することにより揺れ動く。その結果、遊技者は玉を元々振り分けられるはずだった通路とは別の通路へ振り分けることができる。
しかしながら、このクルーンは玉を受け入れてから放出するまでの滞留時間が短く、又玉の振り分け態様も左右何れかに固定されてしまっているので変化に乏しい。従って、遊技の盛り上げ効果において必ずしも十分であるとはいえない。
【特許文献１】特開２００３−１８０９８６号公報（図７）
【発明の開示】
【発明が解決しようとする課題】
【０００３】
本発明は上記した従来の問題点を解決して、従来よりも玉の振分け態様に大きな変化をつけて遊技の興趣を盛り上げることができる遊技機の遊技部品を提供するためになされたものである。
【課題を解決するための手段】
【０００４】
上記の課題を解決するためになされた本発明の遊技機の遊技部品は、玉振分け部材に載せられた玉を振るい落として、この玉を複数の玉通路の何れかに導いて遊技を行う遊技機の遊技部品であって、前記玉振分け部材を屈曲した回転軸の上端に取付けて、玉振分け部材を公転させて玉を振るい落とすようにしたことを特徴とするものであり、玉振分け部材を複数本の回転軸に支承させることによって、玉振分け部材を自転することなく公転させることができる。
【０００５】
また、玉振分け部材を平板状又は凹状のものとすることができ、この玉振分け部材に玉抜き穴を設けることができ、また、複数の玉振分け部材を、上下に間隔を置いてかつ横方向に位置をずらして回転軸に取り付けることができる。さらに、玉振分け部材を間欠回転又は正逆回転させたり、その回転数を変更させたりすることができる。
【発明の効果】
【０００６】
本発明の遊技機の遊技部品は、図柄表示画面の前方のステージ上に玉振分け部材を屈曲した回転軸の上端に取付けて配設したので、この玉振分け部材を一点を中心に公転させることによって、ステージなどに設けた複数の玉通路の何れかに玉を偶然性を持って振り分けることができる。玉振分け部材を複数本の回転軸に支承させることによって、玉振分け部材が自転することなく公転させることができ、玉振分け部材の回転に従来にない変化を持たせることができる。
【０００７】
また、玉振分け部材を、平板状又は凹状のものとした場合にはその周縁から玉を放出することができ、このような玉振分け部材に玉抜き穴を設けた場合には、この玉抜き穴からも玉を放出することができる。また、複数の玉振分け部材を、上下に間隔を置いてかつ横方向に位置をずらして複数段に連設することによって、玉の放出落下態様に大きな変化を付けることができる。さらに、玉振分け部材を間欠回転又は正逆回転させたり、玉振分け部材の回転数を変更したりすることによっても、玉の振り出し方向を多様に変化させることができる。
【発明を実施するための最良の形態】
【０００８】
以下に図面を参照しつつ本発明の実施形態を説明する。図１は、パチンコ遊技機の上半部を示す図であって、１は遊技盤、２はその中央部に配設されたセンター役物、３は始動入賞口である。センター役物２は複数の図柄を変動表示できる図柄表示画面１０を備えており、玉が始動入賞口３に入ると複数の図柄が変動されて、停止したときに図柄が揃うと大当たりなどの遊技者にとって有利な遊技状態となる。
【０００９】
図２に、本発明に係る遊技部品であるセンター役物２の構成を示す。このセンター役物２は複数の図柄を変動表示できる図柄表示装置１０を備え、その前側には玉が左右に揺動することができるステージ４が設けられている。このステージ４の底面は横方向に波打ち状となっており、その中央部がやや高い山部４ａと、その両サイドがやや低い谷部４ｂに形成されている。中央の山部４ａには玉入口７が設けられこの玉入口７はステージ底面の裏側を通ってセンター役物２の前面に形成した玉出口８と連通している。
【００１０】
そして、ステージ４には３本の回転軸５に支承された円板状の玉振分け部材６が配設されている。ステージ４の横方向からは玉案内用のレール９が玉振分け部材６の上方にまで延出されており、センター役物２の外枠２０に設けられた玉流入部２１から流入した玉はこのレール９を伝って玉振分け部材６上に落下される。玉振分け部材６は後述するような機構により公転させられているので、玉はこの玉振分け部材６から不規則な方向に振り落とされる。落下した玉はステージ４上を主として左右に揺動するが、運良く玉入口７に流入した玉は玉出口８から排出されて下方の始動入賞口３に入賞することができる。しかしながら、玉入口７に入ることができなかった玉は、谷部４ｂから落下することになるので、始動入賞口３に入賞する機会はほとんどない。
【００１１】
なお、図３に示すように、玉入口７をステージ４後方で図柄表示装置１０の下部に設けることができる。この実施形態においては、玉振分け部材６と玉入口７との間にはブリッジ２２が形成されて玉が玉入口７に入り易くしてある。図示の玉振分け部材６は円板状のものであるが、皿状のものや小さい起伏を設けたものなど玉を振り落とすことができる適宜な形状のものを用いることができる。
【００１２】
玉の振分け機構を図４により説明する。図４において、玉振分け部材６は鉢状のものであって、その底面に玉抜き穴１１が設けられており、この底面が屈曲した３本の回転軸５の上端に緩やかに嵌めこまれている。また、回転軸５の下端はそれぞれ従動ギア１２の中心に接続されている。この従動ギア１２はモータＭによって駆動される駆動ギア１３と繋がっているので、モータＭを駆動させることにより駆動ギア１３、従動ギア１２を介して回転軸５を回転させることができる。したがって、図５に示すように玉振分け部材６を自転することなく公転させることができるので、玉振分け部材６内の玉をステージ４上に従来にない新規な態様でもって放出することができる。なお、駆動ギア１３、従動ギア１２は２枚の支持板１４により支持されている。
【００１３】
上記玉振分け機構において、折れ曲がった回転軸５を１本としても玉振分け部材６を公転させることができるが、この場合には玉振分け部材６は自転しながら公転することになる。
【００１４】
また、図６に示すように玉振分け部材６を、屈曲した回転軸２３により上下に間隔を置いてかつ横方向に位置をずらして配置することによっても、玉の放出落下態様に複雑な変化を付けることができる。また、玉振分け部材６を遊技の間中回転させておくこともできるし、間欠的に回転させたり正逆回転させることによって玉の振分けにさらに偶然性を付与することができる。さらに、玉振分け部材６の回転数を変更した場合には、玉振分け部材６内での玉の旋回回数を変えることができて、玉放出までの遅延時間を調整して遊技者の期待感を盛り上げることができる。
【００１５】
したがって、本発明の遊技機の遊技部品は、従来よりも玉の振分け態様に大きな変化をつけて遊技の興趣を盛り上げることができるという大きな利点を有する。なお、本発明の遊技部品は、パチンコ機、パチスロ機などの遊技機に使用することができる。
【図面の簡単な説明】
【００１６】
【図１】パチンコ遊技機の上半部を示す正面図である。
【図２】本発明に係る遊技部品の正面図である。
【図３】遊技部品の要部の説明図である。
【図４】玉振分け機構の分解斜視図である。
【図５】玉振分け機構の回転状態を示す斜視図である。
【図６】３段に構成した玉振分け部材の斜視図である。
【符号の説明】
【００１７】
１  遊技盤
２  センター役物
３  始動入賞口
４  ステージ
４ａ  山部
４ｂ  谷部
５  回転軸
６  玉振分け部材
７  玉入口
８  玉出口
９  レール
１０  図柄表示画面
１１  玉通路
１２  従動ギア
１３  駆動ギア
１４  支持板
２０  外枠
２１  玉流入部
２２  ブリッジ
【図１】
2005323838.tif 000003
【図２】
2005323838.tif 000004
【図３】
2005323838.tif 000005
【図４】
2005323838.tif 000006
【図５】
2005323838.tif 000007
【図６】
2005323838.tif 000008